Podtech/llm-jp-corpus-v4-ja_patent huggingface dataset:
(57)【要約】〔課題〕  種苗用種子を収穫し、選抜し、乾燥保存する過程で、種皮の表面の細かいよごれや、蝋状物質が、保存中の種子の活性を悪化して、保存力と、発芽成績を悪化している。  これを改良して、優良種子を提供する。〔解決手段〕  種苗用種子の種皮の細かいよごれや、蝋状物質を除き、活性を改良するために多量の水あるいは、多量のうすい食塩水で種皮の表面をよく洗浄して、きれいにした後、水をきって、よく乾燥して、処理種子として保存に供することを、特徴とする。当年播種の他に１〜２年保存すると効果が安定する場合もある。【特許請求の範囲】
【請求項１】
種苗に用いる、一般種子、農林種子、園芸種子、等を種苗用の通常の方法によって収穫し、選別した後、種皮を外部から多量の水でよく洗浄した後、水をきって良く乾燥して、播種季まで、種子保存に供する、種子処理法。
【請求項２】
「多量の水で」を「多量のうすい食塩水で」、とする請求項１．の種子処理法。
【請求項３】
「播種季まで」を１〜３年間、とする請求項１．の種子処理法。
【請求項４】
本処理（洗浄−乾燥）を２〜３回反複して行う請求項１の種子処理法。
【請求項５】
播種直前に再び水湿を与え、凍結して、バーナリゼイションを施す請求項１、の種子処理法。
【発明の詳細な説明】
【技術分野】
【０００１】  この発明は、種苗に用いる種子で、広く一般種子、農林種子、園芸種子等の収穫後の、種子処理法に関するものである。
〔背景技術〕【０００２】  従来、種苗用の種子は、一般穀物等よりも、より良い畑地を用い、より念入りに栽培し、ていねいに収穫し、きびしく選抜をして、よく乾燥して、保存適温に注意して保存するのが一般的であった。
〔発明の開示〕
〔発明が解決しようとする課題〕【０００３】  種苗用種子として、ていねいに収穫した種子を、さらに種皮の外表面をきれいにすると、より良い種苗となる。
元来、種皮には、生育中に付着してきた微細なほこりや、内部から浸出してきた汗状物が、乾いて付着したり、さらに蝋状物が層状に付着する場合も多い。
これらのよごれや付着物は、栽培種子の品質をいちゞるしく悪化している。
〔課題を解決するための手段〕【０００４】  この課題を解決するために、次の手段を発見した。
種苗用に収穫した種子の種皮を、多量の水、あるいは、多量のうすい食塩水でよく洗浄して、種皮の微細なよごれや、蝋状物を洗い流して、種子の活性を向上させて、これを、うすく広げて、時間をかけて、充分に乾燥して、効果を熟成させて処理種子とする。
〔発明の効果〕【０００５】  種苗用として収穫した種子の種皮を、水や、うすい食塩水で、きれいに洗条することによって、種子の活性が良好になり、保存中においても、呼吸が充分にできて、活性良好で、休眠も充分できて、発芽時においても、発芽成績が高まる。
武村（２００３）は、水の物理・化学的変化を介して、生物の生理・生態変化を推察する方法を提唱している。
一般に生物は休眠に入ると、普通の同化作用はいちゞるしく減少する反面、内的同化が増加して、体内に貯えられた成分から、必要成分をつくって、不足成分を補充して、恒常性を保持しようとする。
植物種子は、休眠状態であって、脱水縮重合による内的同化と、脱水素反応による呼吸が、それぞれ増加する。
そのため、脱水縮重合による化学活性の高い脱水と、脱水素反応による活性水素が体内に増加してくる。
活性水が、活性水素を吸着すると、その表面張力が増加し、外面に吸着膜をつくる。この内部で、吸着された水素の側には、斥力が生じて、外周の多くの水素原子を排除し、拡散させ、遠のける反面、吸着した水の側には、引力が生じて外周の多くの自由水分子を近くに引よせる。そして水素吸着水（吸着重水）を
2005304468.tif 000002
水素吸着水は、水分子の大きな集合体で、体内でつくられると、半透膜を透過できないから、長く体内に留まり、膨潤体大進化を導く。
ここで外囲が乾燥してくると、水分が乏しくなり、吸着によって生じた吸着の引力は、吸着膜の内方に求心的に働き、核心はエネルギーが多くなり、質量が増
2005304468.tif 000003
これにより、効果的に処理され、乾燥保存した種子は、充実がはかられて、発芽成績が向上する。
さらに、吸着の引力は、レーザー引力で、水のみを引よせる単一性と、強力性をもち、干渉性をもっている。
体内の多数の吸着重水から生じた、吸着の引力は、引力の重ね合せの原理によって総和として膨潤体大化をはじめ、多くの生理反応に作用し、大きな影響を及ぼしている。
食塩水の効果については、水素吸着水Ｈ３Ｏ（Ｈ２Ｏ）ｎは雪の結晶では、Ｈ３Ｏ（Ｈ２Ｏ）６で、結晶形では、ｎ＝６である。
他方、ＮａＣｌは立方形結晶で、相互に１分子が他種６分子と６本の結合格子でつながっている。そこで、少しつぶれて変形すると、６方に格子をもつ形となり、分子が６方向に結合し、つながっている性質が共通であり、うすい食塩水に干渉されて、体内に吸着重水ができやすくなり、それだけ、処理成績の向上に関与する。  またＮａＣｌ溶液によって、蝋状物質が、とけてとれやすくなり、洗条効果を向上している。
〔発明を実施するための最良の形態〕【０００６】  種苗用として収穫した種子を、中形の布袋に入れて、１回に５ｋｇ程度にする。これを、洗濯機等でよく洗った後、脱水器等で、脱水後、布袋から出して、うすく広げて、良く乾燥した後、種苗用処理種子として、当年用あるいは１〜２年後に播種するまで、保存に供する。
〔実施例１〕【０００７】  種苗用として収穫した種子を、中形の布袋に入れて、１回に５ｋｇ程度にする。
これを洗濯機を用いて２〜３回充分洗浄して、これを脱水器で充分脱水した後布袋から出して、むしろの上にうすく広げて、充分良く乾燥して処理種子とする。
〔実施例２〕
うすい食塩水で充分洗浄する、実施例１の処理法。
〔実施例３〕
処理種子を１〜３年保存充実させて後播種する実施例１の処理法。
〔実施例４〕
本処理（洗浄−乾燥）を２〜３回反複して効果を高めてから乾燥、保存する実施例１の処理法。
〔実施例５〕
播種直前に再び水湿を与え、凍結して、バーナリゼイションを施す、実施例１の処理法。
(57)【要約】【目的】この発明は、サザエをまるごと小麦粉に練りこんで作った風味豊かなうどんです。【構成】さざえ（１）のむきみを練り状にし小麦粉（３）とボール（４）の中で混ぜ合わせる。【選択図】図２
2005304464.tif 000002
【特許請求の範囲】
【請求項１】
サザエを練り状にした食品。
【発明の詳細な説明】
【発明の詳細な説明】
【産業上の利用分野】
【０００１】  この発明は、サザエをまるごと練り状にして、粉と混ぜたうどんです。
【従来の製品】
【０００２】  従来の製品は、小麦粉と塩を混ぜ合わせて作られています。
【発明が解決した問題】
【０００３】  この発明は、サザエが丸ごとうどんの中に練りこんであるので、サザエのうまみ、香り、栄養等がすべて麺の中にぎゅっと詰まった磯の香り豊かなうどんです。
【図面の簡単な説明】
【図１】  サザエ他材料
【図２】  うどん
【符号の説明】
１は殻付きサザエ
２はサザエむき身
３は小麦粉
４はボール
５はうどん
【図１】
2005304464.tif 000003
【図２】
2005304464.tif 000004
(57)【要約】【課題】  既存の大豆、米、麦を原料とした発酵食品とは、酸度、色調及び味感、食感の異なる味噌様発酵食品を提供することが、本発明の課題である。【解決手段】  小豆を主原料として、これに麹菌を接種させることにより、より詳しくは、蒸煮した小豆に塩切り麹、食塩を混合・攪拌して摩砕後、発酵熟成させることにより、課題が達成される。得られた味噌様小豆発酵食品は米味噌に比べ、酸度及び全窒素量が低く、甘味の強い従来の味噌とは異なった味感が得られ、新しい調味料としての可能性を示した。【選択図】  図１
2005304413.tif 000002
【特許請求の範囲】
【請求項１】
蒸煮した小豆に塩切り麹、食塩を混合・攪拌して摩砕後、発酵熟成させて得られる味噌様小豆発酵食品。
【請求項２】
前記の麹が米麹であることを特徴とする味噌様小豆発酵食品。
【請求項３】
請求項１において、小豆１００重量部に対して、塩切り麹が６０〜１２０重量部であることを特徴とする請求項１または請求項２に記載の味噌様小豆発酵食品。
【請求項４】
前記の味噌様小豆発酵食品が、酸度４〜６、全窒素量１．０〜１．４％であることを特徴とする請求項１〜請求項３に記載の味噌様小豆発酵食品。
【発明の詳細な説明】
【技術分野】
【０００１】
本発明は、蒸煮した小豆を原料として、これに麹菌、食塩を接種し、発酵熟成させて得られる酸度の低い味噌様小豆発酵食品に関わる。
【背景技術】
【０００２】
味噌は、大豆若しくは大豆及び米、麦等の穀類を蒸煮したものに、米、麦等の穀類を蒸煮して麹菌を培養したものを加えたもの又は大豆を蒸煮して麹菌を培養したもの若しくはこれに米、麦等の穀類を蒸煮したものを加えたものに食塩を混合し、これを発酵させ、及び熟成させた半固体状のものをいうと定義されている。そして、大豆に米麹を混合・発酵させたものを米味噌、大豆に麦麹を混合・発酵させたものを麦味噌、大豆に豆麹を混合・発酵させたものを豆味噌、大豆に米麹、麦麹及び豆麹を混合・発酵させたものを調合味噌と各々称されている。
【０００３】
更に、特殊な味噌として、甜麺醤（てんめんじゃん）とおから発酵食品（特許文献１）が公知である。甜麺醤は中国甘味噌として知られており、小麦粉と塩を原料にして特殊な麹を加えて作られるとされている。又、おから発酵食品は、おから１００重量部に対し２〜５０重量部の澱粉質材料を含む混合原料を麹菌によって発酵させた加工食品である。
【０００４】
【特許文献１】特開２００３−１７４号公報
【０００５】
ところで、小豆は大豆に比べ、炭水化物は多いもののタンパク質、脂質、ミネラル分が少ないため、専ら餡類等の甘み食品としての用途に使用されており、味噌様発酵食品としての用途は考えられていなかった。特許文献１の実施例では、副原料である澱粉質材料としての用途が記載されているが、おから１００重量部に対し、小豆は１０重量部と少なく、小豆を主原料として味噌様発酵食品を作る技術はこれまでに無かった。
【発明の開示】
【発明が解決しようとする課題】
【０００６】
既存の大豆、米、麦を原料とした発酵食品とは、酸度、色調及び食感の異なる味噌様発酵食品を提供することが、本発明の課題である。
【課題を解決するための手段】
【０００７】
本発明者らは上記の課題を解決するため、小豆を主原料として、これに麹菌を接種させることにより、味噌様発酵食品を開発して、本発明に到達した。
【０００８】
具体的には、蒸煮した小豆に塩切り麹、食塩及び種水を混合・攪拌して摩砕後、発酵熟成させることにより、課題が達成される。更に、前記麹は米麹であることが望ましく、更には、小豆１００重量部に対して、塩切り麹が６０〜１２０重量部であることが望ましい。そして、発酵・熟成後の小豆発酵食品の酸度４〜６、全窒素量１．０〜１．４％であることが望ましい。
【０００９】
ここで、蒸煮した小豆とは、水洗いした小豆を水中に浸漬して小豆に水分を含ませ、加熱して蒸煮した後冷却した小豆のことであり、又、塩切り麹とは、蒸煮した米に種麹を接種して製麹した米麹に食塩を混合した麹のことである。発酵・熟成は、一般的に２０℃〜４０℃の温度範囲で、数ヶ月〜２年程度保持することにより、味噌様小豆発酵食品が得られる。
【発明の効果】
【００１０】
本発明により得られる味噌様小豆発酵食品は酸度が低く（すなわち甘味が強い）、既存の味噌とは異なる食感を有し、新しい調味料としての用途が期待できる。又、餡等の原料として使用されない小豆の皮部又は規格外で廃棄される小豆を有効に活用でき、資源の有効利用の点からも期待できる。
【発明を実施するための最良の形態】
【００１１】
本発明の実施形態について下記に説明するが、本発明の技術的範囲は下記の実施形態によって限定されるものではなく、その要旨を変更することなく様々に改変して実施することができる。また、本発明の技術的範囲は、均等の範囲にまで及ぶものである。
【実施例１】
【００１２】
＜原材料及び発酵工程＞
表１に示す原料、麹種及び食塩を用いて、図１の工程フローに示す方法で、発酵・熟成を行った。ここで、国産小豆は北海道産を、米麹は白米を又食塩は並塩を用いた。これらの原料を用いて以下の方法により発酵・熟成した。
【００１３】
【表１】
2005304413.tif 000003
【００１４】
小豆の処理は、小豆（乾重３０ｋｇ）を一晩、水に浸漬し、水切り後、０．８気圧で５０分蒸煮した。蒸煮小豆は室温まで冷却後、チョッパーで粗砕した。塩切り麹は、精白米（乾重３０ｋｇ）を一晩、水に浸漬後、０．８気圧で５０分蒸煮した。次に、蒸煮精白米を室温まで冷却後、種麹２５ｇを混合攪拌して室温にて３日間保持して製麹し、更に食塩８．２ｋｇを添加して塩切り麹とした。次に、上記の蒸煮小豆に塩切り麹を混合・攪拌して味噌搗きし、室温にて２年間保持して発酵・熟成させ、味噌様小豆発酵食品を得た。該味噌様小豆発酵食品は、用途により味噌漉しするか否か決定した。
比較試料として、小豆の代わりに、大豆（米国オハイオ州産）を用いて、上述の方法と同様の条件により、米味噌を得た。
【００１５】
＜品質分析＞
上述の方法により得られた発酵食品を、基準味噌分析法により分析した結果を、表２に示す。表２から、味噌様小豆発酵食品は米味噌に比べ、酸度及び全窒素量が低いことがわかる。食感は、甘味があり、従来の味噌とは異なる調味料としての可能性を示した。
【００１６】
【表２】
2005304413.tif 000004
【図面の簡単な説明】
【００１７】
【図１】味噌様小豆発酵食品の製造工程を示すフロー図である。
【図１】
2005304413.tif 000005
(57)【要約】      （修正有）【課題】著名な効果が期待される健康補助食品ＣＰＬ（CyclicPolyLactate＝環状重合乳酸）の必要性を感じながらも容易に摂取し難く、また、継続し難い点を、何時でも何処でも誰でも容易に摂取継続可能にする。【解決手段】健康補助食品ＣＰＬ（CyclicPolyLactate＝環状重合乳酸）に、甘みと香りが強く、子供から大人まで老若男女の多くに嗜好性が高く、溶融固形化が容易なチョコレートを混合して成型し、菓子、健康補助食品として、何時でも何処でも誰でもＣＰＬ（CyclicPolyLactate＝環状重合乳酸）を容易に摂取継続可能にする。【選択図】なし【特許請求の範囲】
【請求項１】
人間の体に悪影響を及ぼす細胞（悪性細胞）や異常細胞を自滅させると同時に正常な細胞を賦活し、痛みを和らげ、副作用がなく摂取量も気にしなくてよい安全な物質として大きな利用価値を秘め、健康補助食品として注目されているＣＰＬ（CyclicPolyLactate＝環状重合乳酸）を配合したチョコレート。
【発明の詳細な説明】
【技術分野】
【０００１】
本考案は、ＣＰＬ（CyclicPolyLactate＝環状重合乳酸）の容易な摂取を図るための菓子、健康補助食品に関するものである。
【背景技術】
【０００２】
人間の体に悪影響を及ぼす細胞（悪性細胞）や異常細胞を自滅させると同時に正常な細胞を賦活し、副作用がなく摂取量も気にしなくてよい安全な物質として大きな利用価値を秘め、健康補助食品として注目されているＣＰＬ（CyclicPolyLactate＝環状重合乳酸）は、癌患者をはじめ、糖尿病、花粉症、通風、リュウマチ等で悩む人々に重宝され、優れた効果を発揮しているが、独特の酸味と苦みがあって飲み辛く摂取し難いという面がある。
【０００３】
そのため、摂取量を多くするほど著名な効果もたすＣＰＬ（CyclicPolyLactate＝環状重合乳酸）は、必要性を感じながらも余程病状の自覚が強い人でないと必要量を摂取し難く、容易な摂取方法を求め、アミノ酸の配合、カプセルや錠剤状、又は、ジュースに溶いての飲用等、各々工夫して摂取していた。
しかし、多量の摂取を求められる癌患者は、癌ということを本人に告知されていない場合もかなり多く、摂取の必要性の自覚が弱く、摂取させたいという強い願望をもつ患者周囲の者にとっては悩む人も多かった。
【０００４】
また、癌の末期は苦痛を伴うことが多く看病する者にとっても心苦しいものである。特に、その苦痛の抑制に著名な効果をもたらすＣＰＬ（CyclicPolyLactate＝環状重合乳酸）は、看病する者としてこういう時にこそ是非摂取して欲しいと願うものであるが、起き上がれない状態の人にカプセル等は危険であり、ジュース（液状）はストローで吸う力も弱く飲ませ難いものである。
【発明の開示】
【発明が解決しようとする課題】
【０００５】
解決しようとする問題点は、ＣＰＬ（CyclicPolyLactate＝環状重合乳酸）の著名な効果を期待し、必要性を感じながらも容易に摂取し難く、また、継続し難い点である。
【課題を解決するための手段】
【０００６】
本発明は、何時でも何処でも誰でもＣＰＬ（CyclicPolyLactate＝環状重合乳酸）を容易に摂取できて継続できることである。
【発明の効果】
【０００７】
本考案のＣＰＬ（CyclicPolyLactate＝環状重合乳酸）配合チョコレートは、ＣＰＬ（CyclicPolyLactate＝環状重合乳酸）独特の酸味と苦みを、甘みと香りが強く子供から大人まで老若男女の多くに嗜好性が高く、溶融固形化が容易なチョコレートを混合して成型し、菓子として何時でも何処でも誰でも容易にＣＰＬ（CyclicPolyLactate＝環状重合乳酸）を摂取でき、しかも継続できるという健康補助食品としての利点がある。
【発明を実施するための最良の形態】
【０００８】
症状に応じて一日のＣＰＬ（CyclicPolyLactate＝環状重合乳酸）摂取目標と摂取回数を定め、何時でも何処でも誰でも容易に摂取できるように、ＣＰＬ（CyclicPolyLactate＝環状重合乳酸）を一定量配合して需要者向けのデザインで成型する。
【実施例１】
【０００９】
癌の告知されていない自宅療養末期患者が苦痛に耐えかねて入院し、痛み止めを投薬し、耐性力が低下した時、家族が知人からＣＰＬ（CyclicPolyLactate＝環状重合乳酸）の話を聞き、飲ませようとしたが飲み辛くてなかなか飲まなかった。カプセル等で飲ませられる状態ではなく、ジュースに溶いたりして摂取させようとしても思うように出来ないというところにＣＰＬ（CyclicPolyLactate＝環状重合乳酸）配合チョコレートを与えた。
寝ている状態でも口の中に入れてやると直ぐに溶解し、喉に詰まる心配もなく目標とする一日の摂取量を摂取させることが出きて痛み止めの投薬も止め、病院スタップや家族をはじめとする周囲の人々もびっくりするほど苦痛を解消できた。
【実施例２】
【００１０】
花粉症の子供に投与したいと思いながらも独特の酸味と苦みで拒否され、カプセルやオブラートを利用して試用したが手間と、薬感覚を与え思うように摂取させることが出来なく困っているところにＣＰＬ（CyclicPolyLactate＝環状重合乳酸）配合チョコレートを試供したら、嗜好品のおやつ感覚で受け入れられ、容易に摂取継続できると好評だった。
【産業上の利用可能性】
【００１１】
現代社会は、各種産業の目覚しい発展によって利便性の高い社会となっているが、反面、情勢の変動が激しく、その対応に追われ、一方では、死亡率の高い癌をはじめとする各種疾病や新種のウィルス感染に対する不安を抱く等、心身の疲弊を余儀なくされるストレス社会でもある。
さらに、ストレスは、心身のバランスを崩して免疫力を低下させ、難病、奇病の発生を招くという悪循環を形成することになる。
このような状況下において、極めて安全性が高く、副作用がなく、人間の体に悪影響を及ぼす細胞（悪性細胞）や異常細胞を自滅させると同時に、正常細胞を活性化するＣＰＬ（CyclicPolyLactate＝環状重合乳酸）を菓子としておやつ感覚で容易に摂取できるようにすることは、質の高い健康補助食品を飛躍的に普及拡大できるもであり、結果的に愛用者の健康生活を実現し、健全な社会の実現に寄与するものである。
(57)【要約】【課題】タバコによる煙を隣接する非喫煙者に流さず、また、灰を吸引する装置を提供する。【解決手段】高さや向きを自在に動かすことのできるフレキシブル構造の管の先端部に、灰や煙の吸引口とタバコ受けを付設することで、喫煙者の口元などのタバコの煙や灰の発生元に近い位置で煙を流すことなく吸引する。【選択図】図１
2005304416.tif 000002
【特許請求の範囲】
【請求項１】
喫煙者と非喫煙者が隣接するような施設において、自在に曲がるフレキシブル構造の管を設置し、管の先端部にはタバコ受けと吸引口を付設し、 
この管を動かすことで吸引口を喫煙者の口元に近づけ、スイッチを入れると、この吸引口から室内外機の吸引装置ファンが稼動し、タバコの灰と煙を吸引し、配管パイプを通して排気口から排気することを特徴とするタバコの灰回収排煙装置。
【請求項２】
上記記載のタバコの灰回収排煙装置において、フレキシブル構造の管の先端部は管に対して全角度曲げることができ、取り外しが可能であることを特徴とする。
【発明の詳細な説明】
【技術分野】
【０００１】
タバコの灰の回収と排煙する装置の形状に関わる。
【背景技術】
【０００２】
従来、喫煙者と非喫煙者の隣接する施設として遊戯施設において、タバコの煙が隣接する非喫煙者の側に流れてしまうことから、特開平８−１８９６７８では、隣接する非喫煙者にタバコの煙を流さないために遊戯台上部に煙の吸引口を設け、             
吸引した煙は空気清浄機を通して室内に換気するという技術が開示されている。
【特許文献１】特開平８−１８９６７８
【発明の開示】
【発明が解決しようとする課題】
【０００３】
上記した技術では、喫煙する遊戯者からタバコの煙を吸引する吸引口が離れているため、生じた煙を隣接する非喫煙者の側に流すことなく吸引することが難しい。
【０００４】
本発明は、上記した実情から、タバコの煙を、喫煙者の口元に近い位置で吸引することで、隣接する非喫煙者の側にタバコの煙を流すことなく吸引するタバコの灰回収排煙装置を提供する。
【課題を解決するための手段】
【０００５】
上記の課題を解決するために、請求項１に記載のタバコ吸殻回収排煙装置は、           
灰や煙の吸引口をフレキシブル構造の管の先端部にタバコ受けと供に付設することで、フレキシブル構造の管を高さや向きをタバコの煙の生ずる喫煙者の口元に調節して直接近づけて動かすことを特徴としている。
【発明の効果】
【０００６】
吸引口を、高さや向きを自在に調節できるフレキシブル構造の管に付設することで、タバコの煙の発生する喫煙者の口元の高さに応じて吸引口を近づけるよう移動させることができ、タバコの煙を近距離で逃すことなく吸引することができ、           
また灰受けとタバコ受けを吸引口の手前に設置することで、喫煙していない際に流れるタバコの煙もまた非喫煙者の側に流れることなく、灰や煙を吸引することができる。
【発明を実施するための最良の形態】
【０００７】
本発明の第一実施形態について図１と図２に示す。
【０００８】
喫煙者と非喫煙者が隣接する施設として遊技施設においては、タバコの灰回収排煙装置は、遊戯台（１）の左上部に設置したスイッチ（９）を押すことで、同じく遊戯台の左上部に設置の自在に曲げることのできるフレキシブル構造の管（３）を、管先端部      
の吸引口（４）からタバコ受け（７）に落ちる灰や煙（５）を、室内外機の吸引装置ファン（１５）によって吸引口（４）から吸い込み、           
遊戯台上部に設置している灰・煙の収集ボックス（６）に灰を集め、排気は配管パイプ（１０）を通して、屋外部の排気口（１７）から排気される。
【０００９】
さらに本発明のタバコの灰回収排煙装置の設置箇所は壁に限定されるものではなく、床、天井、卓上などであってもよい。また設置場所は遊戯施設に限定されず、喫煙者と非喫煙者が生活する空間、あるいは喫煙スペースであってもよい。
【図面の簡単な説明】
【００１０】
【図１】灰回収排煙装置の遊戯施設における実施方法を示した説明図である。（実施例１）
【図２】灰回収排煙装置の遊戯施設におけるシステムを示した説明図である。（実施例１）
【図３】灰回収排煙装置の遊戯施設における実施方法を示した斜視図である。
【図４】灰回収排煙装置の全体図である。
【図５】灰回収排煙装置の正面図である。
【図６】灰回収排煙装置の側面図である。
【図７】灰回収排煙装置の平面図である。
【符号の説明】
【００１１】
１    遊戯台
２    タバコ
３    フレキシブル構造の管
４    吸引口
５    煙
６    フィルターボックス
７    タバコ受け
８    空気通り抜け穴
９    スイッチ
１０  配管パイプ
１１  ハンドル
１２  椅子
１３  スラブ下端
１４  天井
１５  吸引ファン
１６  吊りボルト
１７  排気口
【図１】
2005304416.tif 000003
【図２】
2005304416.tif 000004
【図３】
2005304416.tif 000005
【図４】
2005304416.tif 000006
【図５】
2005304416.tif 000007
【図６】
2005304416.tif 000008
【図７】
2005304416.tif 000009
(57)【要約】      （修正有）【課題】通信網を利用し、ドクター（植物・樹木類や鳥・魚類や昆虫等の学問と知識をもった専門家等）に診断してもらえる。【解決手段】病気が発生した時に植物・樹木類や鳥・魚類や昆虫等の状態を写真画像やメール・音声等をインターネット・携帯電話及びＢＳ等の通信網を利用して送信してもらうことで、人間で言うところのドクター（植物・樹木類や鳥・魚類や昆虫等の学問と知識をもった専門家等）がそれらの収集情報等から診断し効果的な治療法や治療薬をアドバイスしてもらい、また、治療用品、治療薬を購入する。【選択図】なし【特許請求の範囲】
【請求項１】
インターネット・携帯電話及びＢＳ等の通信網を利用して、視聴者が育成している植物・樹木類や鳥・魚類や昆虫等の健康管理並びに病気の診断・治療を行うシステムで、同時にこれらを付帯業務とする育成薬と治療薬である。
【発明の詳細な説明】
【発明の詳細な説明】
【技術分野】
【０００１】この発明は、人間に例えれば病院のようなものであって、そのシステムを通信網を使うことにより、視聴者が育成している植物・樹木類や鳥・魚類や昆虫等へ適用しようというものである。
【背景技術】
【０００２】従来までは  植物・樹木類や鳥・魚類や昆虫等のための病院はなく、健康管理は愚か病気になった時も、ただ見守るばかりだった。
【発明が解決しようとする課題】
【０００３】  これは次のような欠点があった。
（イ）植物・樹木類や鳥・魚類や昆虫等は、生命としての存在価値が低く健康管理及び病気の治療をしてもらえなかった。
（ロ）人間で言うところの医者のような専門家へ連れて行こうとしても、大きな植物や重たい鳥篭や水槽等は移動が困難であった。
（ハ）犬猫病院はあっても、植物・樹木類や鳥・魚類や昆虫等の治療を専門とする病院は、存在しない。
（ニ）今までこれらの業務は、花屋やペットショップが補足的に行っておりあまり親身になってもらえず専門知識に乏しい場合もあった。
【課題を解決するための手段】
【０００４】インターネット・携帯電話及びＢＳ等の通信網を利用することによって、大きな植物や重たい鳥篭や水槽等の移動が困難な状態であっても、健康・病状のデータを写真画像やメール・音声等として送信してもらい、植物・樹木類や鳥・魚類や昆虫等の学問と知識をもった専門家の適切な診断を受けそして処置を行い、さらには治療を実施する。
【発明実施の形態】
【０００５】    本発明の実施について述べる。
（イ）日頃より植物・樹木類や鳥・魚類や昆虫等の健康データを写真画像やメール等に記録し通信網を使い送信してもらう。
（ロ）病気が発生した時に植物・樹木類や鳥・魚類や昆虫等の健康データを写真画像やメール等に記録し通信網を使い送信してもらう。
（ハ）人間で言うところのドクター（植物・樹木類や鳥・魚類や昆虫等の学問と知識をもった専門家等）が収集情報を分析し、育成状況を判断する。
（ニ）人間で言うところのドクター（植物・樹木類や鳥・魚類や昆虫等の学問と知識をもった専門家等）が育成法や育成薬等に関する適切なアドバイスをする。
（ホ）病気が発生した時は、適切な治療法と治療薬等のアドバイスを行う。
（ヘ）健康や発育に良い育成用品や薬剤及び病気や回復に使う治療用品や薬剤等の販売を行う。
【発明の効果】
【０００６】このシステムを利用することで植物・樹木類や鳥・魚類や昆虫等を大切にする心を育み生命の尊さ学び、彼らと一緒の楽しい生活を創造して行く。また  植物・樹木類や鳥・魚類や昆虫等を大切にする姿勢は、昨今の大きな問題である環境破壊を進めない為の身近な第一歩である。そして  このシステムは環境破壊を防止するための有益な情報収集の助けとなり、さらに地球生命を維持して行くための有効な手段であると考える。
(57)【要約】【課題】米糠のエキスを抽出する方法とその方法により抽出した米糠エキス【解決手段】米糠エキスの抽出水ににがり液を加えて米糠エキスを凝固させる。【特許請求の範囲】
【請求項１】
米糠エキスの抽出水ににがりを加え米糠エキスを凝固させることを特徴とする米糠エキスの製造方法
【請求項２】
請求項１の方法で得られる米糠エキス
【発明の詳細な説明】
【技術分野】
【０００１】米糠エキスの製造方法、および、この方法で得られる米糠エキス
【発明の開示】
【発明が解決しようとする課題】
【０００２】古来我が国において女性が糠袋を使用したことから知られるように、米糠には美容効果のある成分が含まれており、また、米糠から採取したエキスには食物繊維、ミネラル、ビタミン類が豊富に含まれており、健康増進効果のあることが知られている。本発明は、にがりを用いて米糠エキスを製造することを目的とする。
【課題を解決するための手段】
【０００３】本発明者は、米糠のエキスを製造する方法の検討を重ね、にがりが豆腐の製造に使用されていることに着眼し、研究した結果、本発明を完成した。【０００４】すなわち、本発明は、米糠を水に入れ、米糠のエキスを水に抽出し、濾過し、米糠エキスの抽出水を得、この抽出水ににがりを入れると、米糠エキスが凝固し、沈澱するので、沈澱物を回収することにより、米糠エキスを簡易に製造することが出来る。【０００５】米糠を入れる水の温度が低いときには、米糠エキスの抽出水ににがりを入れても凝固しにくいので、米糠エキスの抽出水ににがりを入れ加熱すると、米糠エキスが凝固し、一部は上澄となり一部は沈澱する。この上澄および沈澱物を回収することにより、米糠エキスを製造することが出来る。【０００６】上記の場合において、米糠を入れて米糠エキスを抽出する水は、天然水でも水道水でも良い。また、米糠エキスを抽出する水は温水が望ましいが、冷水でも良い。米糠エキスの抽出水の温度が概ね１５℃以下のときは、にがりを入れても米糠エキスが凝固しにくいので、加熱することが望ましい。
【発明の効果】
【０００７】本発明においては、米糠エキスの抽出水ににがりを加えることにより、簡易に米糠エキスを得ることが出来る。また、にがりは入手が容易であり、安価に入手出来るものであり、人体に無害であり、豆腐の凝固剤として用いられたり、健康食品として用いられたりしているものである。本発明によって得られる米糠エキスはにがりにより凝固したものであり、人体に有害な成分を含まないから、石けんや化粧品や食品の原料として使用することができる。
【発明を実施するための最良の形態】
【０００８】本発明は、水を入れた容器に米糠を入れ、米糠エキスを水に抽出し、濾過して米糠エキス抽出水を米糠から分離し、この米糠エキス抽出水ににがりを加えることにより、実施することができる。濾過はふきんなどの布を用いて行うこともでき、濾過紙等の紙を用いて行うこともでき、濾過機を用いて行うこともできる。次に、本発明を実施例により説明するが、本発明はこれにより制限されるものではない。
【実施例１】
【０００９】玄米を精白する際に得られた米糠１８０ｇを７０℃の水６００ｃｃに入れ、米糠エキスを抽出した。米糠エキスの抽出水をふきんで圧搾濾過し、５０℃の米糠エキスの抽出水５００ｃｃを得た。この抽出水に、濃度０．９８％のにがり液２０ｍｌを加え３０分放置した。米糠エキスが凝固して沈澱した。沈澱物１２５ｇを回収して、米糠エキスを得た。
【実施例２】
【００１０】玄米を精白する際に得られた米糠１８０ｇを４０℃の水６００ｃｃに入れ、米糠エキスを抽出した。米糠エキスの抽出水をふきんで圧搾濾過し、３０℃の米糠エキスの抽出水５００ｃｃを得た。この抽出水に、濃度０．９８％のにがり液２０ｍｌを加え３０分放置した。米糠エキスが凝固し、沈澱した。沈澱物１２５ｇを回収して、米糠エキスを得た。
【実施例３】
【００１１】玄米を精白する際に得られた米糠１８０ｇを８℃の水６００ｃｃに入れ、米糠エキスを抽出した。米糠エキスの抽出水をふきんで圧搾濾過し、米糠を濾過し、８℃の米糠エキスの抽出水５００ｃｃを得た。この抽出水に、濃度０．９８％のにがり液２０ｍｌを加え、加熱して米糠エキスの抽出水を６０℃にして、３０分放置した。米糠エキスが凝固して一部は上澄となり一部は沈澱した。この上澄及び沈殿物１２５ｇを回収して、米糠エキスを得た。
【実施例４】
【００１２】焙煎米糠１８０ｇを５０℃の水６００ｃｃに入れ、米糠エキスを抽出した。抽出水をふきんで圧搾濾過し、３６℃の米糠エキスの抽出水３５０ｃｃを得た。この抽出水に濃度０．９８％のにがり液２０ｍｌを加え３０分放置した。米糠エキスが凝固し、沈澱した。沈澱物２５ｇを回収して、米糠エキスを得た。
(57)【要約】【課題】【目的】キムチ加工食品にテンペを適量混合して発酵させる方法。【解決手段】キムチ加工食品にテンペを適量混合して発酵させる。。【特許請求の範囲】
【請求項１】
テンペを加えたキムチ加工食品の製法。
【発明の詳細な説明】
【発明の詳細な説明】
【産業上の利用分野】
【０００１】  この発明はキムチ加工食品にテンペを適量加えて発酵させることによりキムチ独特の辛さや香りをまろやかにし且つ、テンペ菌の作用により甘さがまし、栄養価の高い食品に仕上げることによる。
【背景技術】
【０００２】  従来はテンペを利用したキムチ加工食品は存在しなかった。
【発明が解決しようとする課題】
【０００３】  この発明の目的はテンペを加えることによりキムチ加工食品の食味と栄養価を高めることにある。
【課題を解決するための手段】
【０００４】  この発明を達成するためにはテンペをキムチ加工食品に適量混合発酵させることにある。。
【発明の効果】
【０００５】  以上の説明のようにこの発明によれば従来存在しなかったキムチ加工食品を作ることが出来る。
(57)【要約】      （修正有）【課題】すぐに調理でき、臭い、外観、食感及び保存性の改善されたヒジキ製品の製造方法を提供する。【解決手段】生ヒジキを釜茹でしカットし、真空パックして熱湯殺菌する。【選択図】なし【特許請求の範囲】
【請求項１】
ひじきの収穫時期は、２月下旬−４月上旬ごろまでの短期的な海草です。開発した商品は新鮮なひじきを採り（採って４８時間以内）お湯でたくか，蒸気で蒸す、ひじきの色が薄緑茶華燭の段階と、食べて歯切れが良くなれば、釜もしくは、蒸気炉から出し、水洗いし、４センチぐらいにカットし、袋詰し、真空パックする。約９０℃の温度の熱湯で４０分間もしくは、蒸気で２０分間蒸し殺菌工程する。のち水で冷やし出来上がり
【請求項２】
請求項  １の記載の真空パックしなくても冷凍保存をし、小分けしたパッケージで冷凍食品として売ること
【請求項３】
請求項  ２のひじきの冷凍したものを解凍し冷蔵食品としても売ること
【発明の詳細な説明】
【技術分野】  ひじきの収穫時期は毎年２月下旬〜４月下旬です。昔から干物とし水等で戻しながら和風の煮物などの料理に使われてきました。製造方法は熱湯、または蒸気で黒くなるまでにし、天日干し、もしくは人工的に乾燥したものです。
ひじきは人の健康に大切な栄養素をたくさん含んだ食品として、特に植物繊維、ミネラル、カルシュウム、鉄分、などは他の食品を圧倒いたします。しかし現在は生活の多様化、洋風化、飽食の時代などで今までのひじきでは対応できず、先細りの感じがします。私が住んでいる、千葉県舘山市近辺の浜でも、いまでは売れないので海から採る単価も安く、漁民も収入にならないので、海の自然の贈り物（ひじき）を流してしまう状態です。（海水温が上がると自然に腐って流れてしまうため）本当に残念です。
この状況をなんとか成らないものかと、私はゆでひじき真空パック方式を考えました。ひじきを見違える食材にして、たくさん食べてもらい、今までひじきを見向きもしなかった方々に、色々な料理に使い食べてもらいたいと考えています。現在、日本は食材を６０％も海外から輸入に頼っており、これでは此れからの日本の食料は安心、安全が維持できるのかと考えさせられます。日本は四方が海に囲まれており、まだまだ考えると素晴らしい物が出て来ると思います。そこで健康ゆでひじきはこれらのことを充分満たしてくれる物です。少しでも人間の役に立つ健康食材として、また日本の漁村が少しでも元気になるよう、また安心安全な海の野菜として作りつづけたいので申請しました。
私の考えた健康ゆでひじきは、常温で１年間は保存可能です。
製造方法
▲１▼海からその日に採ってきた新鮮な生のひじきに酢を加え熱湯で４０分間煮る
▲２▼ひじきの色が薄緑茶色になり、食べて歯切れが良く柔らかくなった所で、お湯から上げ水洗いし、水を切ってから選別をする
▲３▼４センチぐらいにカットし、計量をして、袋に入れる
▲４▼真空パックして，９０度の温度の熱湯で４０分間殺菌工程致します
▲５▼お湯から上げ袋を成形し水で冷却して出来上がりとなります。
2005304460.tif 000002
(57)【要約】【目的】  カセイソーダ処理による水洗の水代、汚水処理にかかる膨大な費用を撤廃して、製造原価の低減、食品の三次機能を持つ各種ポリフェノール成分を温存して、健康維持機能に優れた食品の開発を目的とする。【構成】  オリーブ果実のカセイソーダによる渋、苦味、異臭、抜きの撤廃、調味料等の浸透を良くするための種抜きの実施、酸味料によるマスキング、βーシクロデキストリンの包接、両者の相乗効果による、各種ポリフェノールの温存で構成され安価で機能性の高い食品を提供する。【特許請求の範囲】
【請求項１】
オリーブを収穫、青果の状態で種抜きする。
【請求項２】
酸味料のマスキング作用による渋、苦味、異臭の消去
【請求項３】
βーシクロデキストリンの包接作用による渋、苦味、異臭の消去。
【請求項４】
請求項１と請求項２の相乗効果による渋、苦味、異臭、の消去。
【発明の詳細な説明】
【発明の詳細な説明】
【産業上の利用分野】
【０００１】  オリーブ果実は渋、苦味、異臭が非常に強く青果で食する事は出来ません。現在は、薬品により渋、苦味、異臭を抜いているが、大量のアクが出るので、水洗のための水が原料果実の１０倍ぐらい必要になり、水代、汚水処理に膨大な費用が必要である。本発明はマスキング、包接、その両者の相乗効果により渋、苦味成分である各種ポリフェノールを温存し、機能性の高い食品にすると共に、水、汚水処理にかかる費用を無くする。
【背景技術】
【０００２】  現在、オリーブ果実は２％カセイソーダ溶液に漬け込み渋、苦味、異臭成分の溶解を待って水洗、食している。
【発明が解決しようとする課題】
【０００３】従来の技術では、三次機能性食品成分である、各種ポリフェノールが溶解され、汚水として流失されていた。本発明は、各種機能性食品成分を温存しかつ渋、苦味、異臭を感じさせない食品の開発。
【課題を解決するための手段】
【０００４】  酸味料には渋、苦味、異臭をマスキングする作用があり、その作用を利用、矯味、矯臭する。
【０００５】  βーシクロデキストリンには渋、苦味、異臭を包接する作用があり、その作用を利用、矯味、矯臭する。
【０００６】  上記、酸味料、βーデキストリン、両者の相乗効果による渋、苦味、異臭の消去。
【作用】
【０００７】  本発明は、商品開発において製造原価の低減と各種ポリフェノールの温存が可能になる。
【０００８】  近年、食品の三次機能としてポリフェノール成分の作用として、脂質の酸化防止、抗菌作用、抗変異原性等の機能が報告され注目されてる。
【実施例】
【０００９】  オリーブ果実は、収穫後ただちに種を抜き粉砕搾汁、油と果汁に分離、果汁にクエン酸、ふどう糖果糖液糖、オリゴー糖を加えてドリンクに加工する。【００１０】  緑果オリーブは、収穫後ただちに種を抜き、食酢、しょう油、砂糖の混合液に漬け込み、漬け物として加工する。【００１１】  完熟オリーブは、収穫後ただちに種を抜き、粉砕、βーシクロデキストリン、クエン酸、ビタミンＣ、ペクチン、ふどう糖果糖液糖、オリゴー糖を加えてジャムに加工する。
【発明の効果】
【００１２】  本発明は、上述のとうり構成されているので、次に記載する効果を奏する。
【００１３】  カセイソーダ処理による渋、苦味、異臭抜きの行程が省略されるため、薬品代、水代、汚水処理にかかる膨大な費用の削減する。
【００１４】  上記のような費用削減により食品製造原価の低減が可能になる。
【００１５】  食品の三次機能を持つ、各種ポリフェノールを温存するため、健康維持機能に優れた食品製造加工が出来る。
(57)【要約】【課題】農産物を猪等の野生動物より保護する手段がなく、多額の被害をもたらしているのが現状である。トタン柵は飛び越えて進入し、ネット柵は破壊され、決定的な防御法が見当たらなかった。電気柵は高価であり、その管理コストもかかる。安価で効果的な防御柵が大きな課題であった。ネット柵の場合、猪突猛進で知られる猪の衝突エネルギーをいかにして吸収するかが課題であった。【解決手段】猪でも破壊できないように、その衝突エネルギーを吸収することができ、破壊されないネット柵を提供する新規な防獣ネットである。ネット柵を形成する網にひだを作り、クリップ、ホッチキス、強くない糸でフォールド構造を形成せしめ、猛獣の突進力エネルギーを、ひだ構造の破壊により吸収することで解決できた。猪に対しても防御可能なネット柵となった。【選択図】    図１
2005304454.tif 000002
【特許請求の範囲】
【請求項１】
猛進する猪のエネルギーをも吸収し、網が破られないで受け止められる猪、鹿等の野生動物の進入を防ぐ新規な防獣用ネット
【請求項２】
所定の高さを有する防獣ネットの野生動物が衝突する辺りに、断面からみてループ状に網のひだを形成せしめた新規な防獣用ネット
【請求項３】
ループ状のひだのネットの長さが２メーター以下で、１個または複数段のひだの固定部は動物の衝突力で破壊され、網が拡がることにより野生動物の衝突エネルギーを吸収できる請求項１及び２の防獣用ネット
【発明の詳細な説明】
【技術分野】
【０００１】本発明は、猪等の突進してくる野性動物の進入を防御するネットに関する。
【背景技術】
【０００２】猪の被害を防ぐために、色々の方法が採用されている。トタン柵、電気柵、ネット柵等はあちこちで見かけるところである。猪は助走なしで１メートルのトタン柵を飛び越えるようであり、ネット柵は猪突猛進で破壊されることが多く、猪等の野生動物による果実やいも類の被害は拡大している。効果の高い電気柵は、ワイヤー型と電線を網に編み込んだネット型とがあるが、漏電対策のための草刈等の管理の徹底が必要である。金網フェンスやワイヤーメッシュ柵は、下からくぐり抜けることが知られている（非特許文献１）。その他、網に、クレゾール、コールタール等忌避剤を塗布したネット柵も知られている（特許文献１）。しかし、費用や管理コストをかけずに猪の進入を完全に防ぐ柵は、まだ存在しなく、模索中であるといえる。一時、ネット柵に、虎やライオン等の猛獣の臭いを着けると効果があると云われたことがあるが、公立試験場の研究では、しばらくすると慣れてきて効果がないことが発表された。（非特許文献２）。【０００３】
【非特許文献１】森林科学  ３９巻  ２００３年１０月号  １３〜２０頁
【特許文献１】公開特許  特開平０６−２３７６８０
【非特許文献２】近中四農研ニュース  Ｎｏ．６（２００２）
【発明の開示】
【発明が解決しようとする課題】
【０００４】本発明は、猪がネットを破壊して進入することを防止する一つの手段を提供するものである。すなわち、破壊されやすいネットが壊されないように、網の取り付け方の工夫で、猪の衝突エネルギーを緩和し、破壊されないネット柵を提供するものである。
【課題を解決するための手段】
【０００５】猪が飛び超えない高さのネット柵において、その柵の下から３分の１位の高さの位置、すなわち猪がぶつかる付近に、ネットのひだ、いわゆるフォールドを作り、猪の突進によって衝突すると、仮固定されている構造が破壊され、ひだが伸びることによって、動物の衝突のエネルギーを吸収させる手段をとった。
【発明の効果】
【０００６】水稲を中心に、果樹園、芋畑、野菜畑において、多くの作物が被害を受けているが、田畑を荒らす害獣の侵入を防ぐため、周辺をひだを有するネットで囲むことによりその進入を防御することができた。野生動物は、農作物の食べごろを知っており、熟れたころネット柵を破壊して進入する。出荷できる時期が近づく前に、本発明のひだのあるネット柵を、田畑の周辺に設置することにより、猪の力をひだ構造の破壊で受け止め、奥に伸びた網構造のネット柵に変化してエネルギーを吸収する効果があった。猪その他の動物は、網が奥に拡がっても田畑には入れず、網が体に絡まることに驚いて引き返す効果があった。
【発明を実施するための最良の形態】
【０００７】本発明の実施形態を図で説明する。図１は、ネット柵の一つのユニットであり、高さ方向の柵を形成する１のネットの３分の１位の所に、１個の網のひだ構造２を形成せしめている。１の縦のネットとひだのネットは続いた１枚のネットであり、折り曲げて、フォールド構造を形成するように、３によってひだを固定している。ひだは、１個でも複数段でも差し支えないが、野生動物の衝突でひだの固定は破壊され、ひだが伸びて衝突のエネルギーを吸収させる。動物を驚かすためには、１個の方がエネルギーをよく吸収し、効果的てあることを認めている。【０００８】ひだの固定３は、ホッチキスのようなもので止める方法、或いはクリップで止める方法、短い毛糸のような弱い糸で縫合する方法程度がよい。猪が衝突したとき、次々と破壊されて、網が拡がる仕組みが実現できるように固定する。これらの接合が破壊することにより野生動物の衝突エネルギーを吸収し、ネット柵が壊れないで動物を受け止めることができる。猪等の動物は、網に閉じ込められた状態になるため、驚いて引き返すことになり、田畑への進入を防ぐことができる。図１にはホッチキスでの固定を模式的に示してある。
【実施例１】
【００１０】４メートル幅の無結節網を製造し、その内２メートルを折りたたんで、下から７０センチメートルの所に、１個のひだを長さ方向に連続して作った。そのひだの固定はホッチキスにより行った。マックス社製のＮＯ３ホッチキスで、５０センチメートル間隔で止めると、猪の突進を食い止める防御ネット柵用として丁度良かった。秋に栗林の周りに本発明の防御用ネット柵を張り巡らせておくことにより、約７０Ｋｇの猪の突進を、網で食い止め進入を防ぐことができ、栗の収穫が無事にできた。また、春の竹の子も猪に食べられないで出荷できた。
【産業上の利用可能性】
【００１１】農林水産省植物防疫課の資料では、２０００年度の全国の猪による被害は、１９，９００ヘクタール、被害金額は５２億円に達している。中四国・九州で被害市町村が多い。中国と近畿地方では、特に内陸部の市町村の被害が激しく、稲、いも類、竹の子、果物、野菜と被害生産品は、多岐にわたっている。ゴルフ場の芝の掘り起こし被害もある。
従って、農林産業分野の生産物保護用途と昆虫の幼虫、ミミズ、根茎を食べるためのゴルフ場荒らしを防止する分野で、本発明の利用可能性は大きい。
【図面の簡単な説明】
【００１２】
【図１】編地によるネット柵のユニットの斜視的模式図
【符号の説明】
【００１３】１ネット柵の垂直部分
２垂直のネット網地の途中に形成されたひだの部分を水平に伸ばした図であり、使用時は垂れ下がった形になる。
３ホッチキスで止めることによりひだが形成されている。
【図１】
2005304454.tif 000003
(57)【要約】【課題】  長短の麺類を一度に一緒にゆでる料理具を提供する。【解決手段】  任意の麺を収納状態で茹でることのできるネット地で構成され、下部に曲面形状部、上部が折り返すことで開口部を塞ぐ蓋を構成する開口部であり全体で任意の麺を収納し茹でることができる構成よりなる。【選択図】  図１
2005304453.tif 000002
【特許請求の範囲】
【請求項１】
任意の麺を収納状態で茹でることのできるネット地で構成され、下部に曲面形状の収納部、上部が折り返すことで開口部を塞ぐ蓋を構成する開口部であり全体で任意の麺を収納し茹でることができる麺ゆで用ネット。
【請求項２】
下部曲面形状の収納部に麺を排出するように裂くことのできるミシン目を設けたことを特徴とする請求項１記載の麺ゆで用ネット。
【発明の詳細な説明】
【技術分野】
【０００１】  本発明は、長短の麺類を一度に一緒にゆでる料理具に関するものである。
【背景技術】
【０００２】  従来、長い麺類を一度に切るはさみのような形で、賛嘆がフォークのようになっており、麺類を挟んで切る仕組みになっているヌードルカッターがあった。
【発明の開示】
【発明が解決しようとする課題】
【０００３】  これら従来技術にあっては、以下のような欠点があった。
子供や年配者に長い麺を食べさせるとのどにつまりやすく、これを回避するために大人用と赤ちゃん用とそれぞれ別の鍋に湯を沸かして、長い麺類を短く切って茹でて食べさせていたが、大変な手間と時間がかかっていた。
箸を利用して麺を切ろうとした場合、滑って切りづらく、麺を指で押さえ込んだ場合は不衛生となっていた。
ヌードルカッターは大きくかさばり、手間がかかるととともに、収納管理が大変であった。
本発明はこれら欠点を解決するものである。
【課題を解決するための手段】
【０００４】  任意の麺を収納状態で茹でることのできるネット地で構成され、下部に曲面形状の収納部、上部が折り返すことで開口部を塞ぐ蓋を構成する開口部であり全体で任意の麺を収納し茹でることができる構成となっている。
側面につまみ部を形成し、下部曲面形状の収納部に麺を排出するように裂くことのできるミシン目を設ける。
【発明の効果】
【０００５】  大人用の長い麺と子供用の短い麺を一緒にゆでることができ、非常に便利である。
また、下部が曲面形状の収納部となっているため、麺が隅にたまりとりにくくなるのを防ぐことができる。
下部曲面形状の収納部に麺を排出するように裂くことのできるミシン目を設けることにより、切り裂くことで簡単に麺を皿やどんぶりに盛ることができる。この際、上開口部を空ける必要がないので、麺を取り出すときに湯気で焼けどをおこすのを防ぎ、安全に使用することができる。
【発明を実施するための最良の形態】
【０００６】  以下、本発明の第一実施形態について、図１から図６をもちいて説明する。
本発明は麺を収納状態で茹でることのできる麺茹でネットである。
全体は、麺を通さないネット素材より構成されている。ネット素材を図２に示すように、上に開口部を形成するように袋状に縫合や熱溶着などで形成されたものである。この袋形成用の縫合、熱溶着部に関しては各種可能であり、図面においては省略している。
収納部２は略半球状に形成されている。
収納部２上部の開口部では、半分の素材が延長したものであり、他辺開口部端部と同じ高さで折り返され左右が縫合部５ａ，５ｂで縫合され折り返し蓋３が構成されている。
また、収納部２にはミシン目４が設けられている。このミシン目４は、略半球状の下部頂点付近を通り麺排出に必要な分開口するようになっている。
本発明は以上の構成よりなっている。
本発明を使用するときは、図２に示すように茹でる乾麺を必要な大きさに切ったものを開口部から入れる。次に図３に示すように折り返し蓋３の中央付近を持ちあげ、図３に示すように反対側に折り返す。その使用状態の端面を示したのが図５である。折り返した状態では図５ｃに示すように開口部を塞いだ状態となり、麺５が収納される。その状態で、図１に示すように鍋に必要量を水を入れ、沸かした状態でこの麺茹でネット１を入れ麺を茹で上げる。
麺が茹で上がった状態で麺茹でネット１を取り出し、ミシン目４を切り離すことで収納部２の下が開口する。皿やフライパン、どんぶりなどの上でこのように開口し麺を排出する。この際、開口部の折り返し蓋３を外してとりだすことも可能であるが、ミシン目４を開口させることで湯気が手に当たるのを防ぎ、やけどの防止につながる。【０００７】  他の事例を図７をもちいて説明する。
これは収納部２のミシン目４を挟んだ両側につまみ８を設けたものである。このつまみを設けることにより、より操作性が向上する。
また、本発明は乾麺と生麺の両方に利用できる。
【図面の簡単な説明】
【０００８】
【図１】  本発明の使用状態図
【図２】  本発明の斜視図
【図３】  本発明の使用説明図
【図４】  本発明の使用説明図
【図５】  本発明の使用手順を説明する端面図
【図６】  本発明の使用状態図
【図７】  本発明の他の実施形態の斜視図
【符号の説明】
【０００９】  １  麺茹でネット、                    ２  収納部、
３  折り返し蓋、                      ４  ミシン目、
５；５ａ；５ｂ  麺、                  ６  縫合部、
７  鍋、                              ８  つまみ
【図１】
2005304453.tif 000003
【図２】
2005304453.tif 000004
【図３】
2005304453.tif 000005
【図４】
2005304453.tif 000006
【図５】
2005304453.tif 000007
【図６】
2005304453.tif 000008
【図７】
2005304453.tif 000009